(57)【要約】【課題】  縦框の縦溝部内での取付けねじによる吊下げ部材と吊戸との取付け作業中に取付けねじが落下しても、取付けねじを受け止めて縦溝内下方に落下するのを防止して取付けねじの回収ができる。金属製の型材の上端縁を覆って手を触れても手が傷付けない。【解決手段】  上レール１を走行するためのランナー２から下方に向けて吊下げ部材３を垂設する。吊戸４の縦框５を上下方向にわたって縦溝部６を有する金属製の型材により構成する。縦框５の上端開口の縁部分を覆う端部カバー７を縦框５に取付ける。吊下げ部材３を縦框５の縦溝部６に挿入して該吊下げ部材３を取付けねじ８により縦框５に螺着する。端部カバー７に取付けねじ落下防止部９を設けて該取付けねじ落下防止部９を縦溝部６内の上記吊下げ部材３の取付けねじ８による取付け部分よりもやや下方に位置させる。【選択図】        図１
2006200195.tif 000002
【特許請求の範囲】
【請求項１】
上レールを走行するためのランナーから下方に向けて吊下げ部材を垂設し、吊戸の縦框を上下方向にわたって縦溝部を有する金属製の型材により構成し、縦框の上端開口の縁部分を覆う端部カバーを縦框に取付けると共に、吊下げ部材を縦框の縦溝部に挿入して該吊下げ部材を取付けねじにより縦框に螺着するものにおいて、上記端部カバーに取付けねじ落下防止部を設けて該取付けねじ落下防止部を縦溝部内の上記吊下げ部材の取付けねじによる取付け部分よりもやや下方に位置させて成ることを特徴とする吊戸のランナー取付け構造。
【発明の詳細な説明】
【技術分野】
【０００１】
本発明は、ランナーに垂設した吊下げ部材に吊戸を取付けねじを用いて取付けるための技術に関するものである。
【背景技術】
【０００２】
従来から上レールに走行自在に設けたランナーに吊戸を取付けるには、例えば特許文献１に示されるように、上レールを走行するランナーから下方に向けて吊下げ部材を垂設し、該ランナーから垂設した吊下げ部材を取付けねじにより吊戸に取付けるようにしていた。
【０００３】
上記特許文献１に示される従来例は、吊戸が、金属製の型材よりなる左右の縦框の対向側面の上下両端部に、金属製の型材よりなる横框の両端面を突き合せて固着用ねじにより連結して枠体を構成すると共に該枠体に囲まれた部分に面板を取付けることで構成してあり、ランナーから下方に垂設した吊下げ部材が上記吊戸の型材よりなる縦框の縦溝部内に挿入され、縦溝部内で吊下げ部材に設けた挿入孔から取付けねじを挿入して縦框に設けたねじ孔に螺合することで取付けるようにしている。そして、取付けねじによる吊下げ部材と吊戸との取付け作業は、現場で、上レールにランナーを挿入した状態で上レールを天井等の部屋の上部に取付けた後、吊戸を起立させた状態で上記取付けねじによる取付け作業を行うものである。
【０００４】
ここで、作業者は吊戸の上端部という高所において、型材よりなる縦框の縦溝部内に取付けねじを挿入して、該取付けねじを縦溝部内に挿入した吊下げ部材に設けた挿入孔に挿入してねじ孔に螺合するという作業をしなければならず、取付けねじによる取付け作業がし難く、このため、上記取付けねじによる取付け作業中に取付けねじがドライバの先端から外れて縦框の縦溝部内を下方に落下してしまうことがある。
【０００５】
ところが、上記のように縦框の縦溝部内に落下した取付けねじが縦框の下端部と下の横框とを連結する固着用ねじに引っ掛かったり、あるいは、縦框の縦溝部の下端開口を下プレートにより閉塞するものにおいては、下プレート上に落下し、縦溝部内に残ってしまうという問題がある。
【０００６】
このように縦溝部内に固着用ねじが残ったまま吊戸を使用すると、吊戸の使用中に取付けねじが縦框内で「カタカタ」と音を立てたりする恐れがあって好ましくない。
【０００７】
また、上記縦框の縦溝部の下端開口を閉塞するための下プレートを設けない場合には縦框の縦溝部の下端開口から取付けねじを落下させることも可能であるが、この場合には、上記のように起立姿勢の吊戸の上端部という高所において取付けねじによる作業を行っている作業者は脚立から下りて、床に落下した取付けねじを拾って、再び脚立に乗って取付けねじによる取付け作業を再開しなければならず、作業がきわめて煩雑になるという問題があった。
【０００８】
また、縦框は金属製の型材を切断して形成してあるため、縦框の上端開口の縁部分は金属製の型材の切断端部であり、この切断端部のエッジ部分に手が触れたりすると手を傷付ける恐れがあり、特に縦框の上端部において行う上記取付け作業中に切断端部のエッジ部分に手が触れ易くて手を傷付ける恐れがある。
【特許文献１】特開２００４−２３２４１２号公報
【発明の開示】
【発明が解決しようとする課題】
【０００９】
本発明は上記の従来の問題点に鑑みて発明したものであって、縦框の縦溝部内での取付けねじによる吊下げ部材と吊戸との取付け作業中に取付けねじが落下したとしても、取付けねじを受け止めて縦溝内下方に落下するのを防止して簡単に取付けねじの回収ができ、また、金属製の型材の上端縁を覆って手が触れても手を傷付ける恐れがなく、しかも、構成を簡略化できる吊戸のランナー取付け構造を提供することを課題とするものである。
【課題を解決するための手段】
【００１０】
上記課題を解決するために本発明に係る吊戸のランナー取付け構造は、上レール１を走行するためのランナー２から下方に向けて吊下げ部材３を垂設し、吊戸４の縦框５を上下方向にわたって縦溝部６を有する金属製の型材により構成し、縦框５の上端開口の縁部分を覆う端部カバー７を縦框５に取付けると共に、吊下げ部材３を縦框５の縦溝部６に挿入して該吊下げ部材３を取付けねじ８により縦框５に螺着するものにおいて、上記端部カバー７に取付けねじ落下防止部９を設けて該取付けねじ落下防止部９を縦溝部６内の上記吊下げ部材３の取付けねじ８による取付け部分よりもやや下方に位置させて成ることを特徴とするものである。
【００１１】
このような構成とすることで、縦框５の縦溝部６の上端部内において取付けねじ８によって吊下げ部材３を縦框５に取付ける作業中、取付けねじ８がドライバーの先端から外れて落下したとしても、取付けねじ８が端部カバー７に設けた取付けねじ落下防止部９により受け止められて縦溝部６内を下方に落下してしまうのが防止され、縦框５の上端部の取付けねじ８の取付け作業を行う位置で取付けねじ落下防止部９に受けられた取付けねじ８を簡単に回収して、回収した取付けねじ８を用いて素早く取付け作業を再開することができるものであり、しかも、取付けねじ落下防止部９は金属製の型材によりなる縦框５の上端開口の縁部分を覆う端部カバー７に設けてあるので、金属製の型材の切断端部のエッジ部分を端部カバー７で覆って切断端部のエッジ部分に手が触れて手を傷付けるのを防止するだけでなく、端部カバー７に取付けねじ８の落下防止機能を備えることで部材点数を削減して構成が簡略化でき、また、取付けねじ落下防止部９を端部カバー７に設けることで、端部カバー７を取付けることで同時に取付けねじ落下防止部９を縦溝部６内の上端部の所定位置に配設できて作業性が良いものである。
【発明の効果】
【００１２】
本発明は、縦溝部の上端部内において取付けねじによる取付け作業中に取付けねじが落下しても直下で取付けねじ落下防止部により受け止めて縦溝部の下方に落下するのを防止して簡単に回収して再使用でき、取付けねじによる取付け作業が簡略化する。また、金属製の型材よりなる縦框の切断端部のエッジ部分を端部カバーで覆って手が傷付けるのを防止すると共に該端部カバーに取付けねじ落下防止部を設けることで部材点数を削減して構成を簡略化できる。
【発明を実施するための最良の形態】
【００１３】
以下、本発明を添付図面に示す実施形態に基いて説明する。
【００１４】
本発明における吊戸４は、図１、図３に示すように上レール１にランナー２を走行自在に設け、ランナー２から下方に向けて吊下げ部材３を垂設し、該吊下げ部材３に吊戸４を取付けることで吊戸４をランナー２により上レール１に走行自在に吊下げるようになっている。
【００１５】
上レール１は、通常は部屋の仕切り壁の出入口開口部の上端部４０に配設して取付けられるものであるが、天井面、あるいは垂れ壁等に配設して取付けてもよく、特に設置場所は限定されるものではない。この上レール１は図３に示すように、断面略逆Ｕ字状をしていて、両下端部からそれぞれ内側に向けてレール横片１０が突設してあり、レール横片１０に走行溝１１が形成してある。
【００１６】
ランナー２は、ランナー本体１２にローラ１３を回転自在に取付けることで構成してある。ランナー本体１２は断面略矩形状をしていて上レール１内に収納されるもので、該ランナー本体１２の両側にはそれぞれ１乃至複数のローラ１３が回転自在に設けられ、両側のローラ１３はそれぞれ上レール１の両レール横片１０の走行溝１１上に走行自在に載置してある。このランナー本体１２から下方に向けて吊下げ部材３が垂設してある。
【００１７】
吊下げ部材３は、ランナー本体１２の下端部から上記上レール１の両レール横片１０間の開口を通過して下方に突出するように設けられる。この吊下げ部材３はランナー本体１２に回転自在に取付けられる吊下げ軸部１４と、吊下げ軸部１４の下端部に取付けられる吊下げ部材本体１５とで主体が構成される。
【００１８】
吊下げ部材本体１５の一側の垂直面は取付け面となっており、該取付け面にはＬ字状をした引掛け片４１が設けてあり、また、取付け面の下部に下方に向けて固定片４２が垂下してあり、固定片４２にねじ挿入孔２１が設けてある。
【００１９】
吊下げ部材本体１５は内部に高さ調整機構（図示せず）が内装してあり、吊下げ軸部１４の吊下げ部材本体１５への上下方向の固定位置を調整自在となっていて、これによりランナー２からの吊下げ部材本体１５の吊下げ高さの調整が可能となっている。
【００２０】
吊戸４は左右の縦框５と上下の横框１６とを枠組みして構成した枠体に囲まれた部分に面板１７を嵌め込んで構成してあり、枠体には必要に応じて縦又は横の中桟を架設してもよい。
【００２１】
縦框５は上下方向の全長にわたって縦溝部６を形成してある。すなわち図４に示すように、両側片１８の略中央部間を内側連結片１９と外側連結片２０で連結一体化することで縦框５の主体を構成してあるが、上記縦溝部６は、両側片１８と内側連結片１９と外側連結片２０とで囲まれた部分に構成される角筒状をした中央縦溝部２３と、両側片１８の内側連結片１９から突出した部分と内側連結片１９とで囲まれた部分に構成される断面コ字状をしたパッキン嵌め込み用縦溝部２２と、パッキン嵌め込み用縦溝部２２の先端の両側に外方向に向けてＬ字状片３８を突設して、一対のＬ字状片３８により底部がパッキン嵌め込み用縦溝部２２と連通した横框嵌め込み溝部２４と、両側片１８の外側連結片２０から突出した部分と両外側連結片２０とで囲まれた部分に構成される断面コ字状をした外側縦溝部２５とで構成してある。外側縦溝部２５の外側端部には係止用突条２６が形成してある。
【００２２】
上記の構成の縦框５はアルミニウムの長尺の型材を長手方向において所定の長さに切断して形成してあり、更に、図１、図４に示すように、縦框５の上端部において外側連結片２０の上端部を一定寸法切断除去して切除部３１を形成し、この切除部３１を介して中央縦溝部２３の上端と外側縦溝部２５の上端部とを連通させてある。内側連結片１９の上端部の上記外側連結２０の上端部の切除部３１に対向する部分には横框１６に固着するための固着用ねじ２７を挿通するための固着用ねじ挿通孔２８と、引掛け片４１を引掛けるための引掛け用孔２９と、吊下げ部材本体１５を取付けるための取付けねじ８を螺着するためのねじ孔３０とが設けてある。
【００２３】
縦框５の上端開口の縁部分を覆う端部カバー７は合成樹脂により形成してあって、図６に示すように底面片３３ａの両端から上方に縦片３３ｂをそれぞれ突出し、縦片３３ｂの上端部にカバー片３３ｃを設けてカバー本体３３を構成してあり、外力が作用しない自由状態では両縦片３３ｂの上端部間の間隔が広く底面片３３ａ側が狭くなるように構成してある。このカバー本体３３の底面片３３ａの両縦片３３ｂ間を結ぶ一辺から底面片３３ａと連続するように横片３２が一体に連出してあり、上記底面片３３ａと横片３２とで取付けねじ落下防止部９を構成してある。また、縦片３３ｂの内面側には十字状をした補強リブ３３ｄが設けてある。
【００２４】
横框１６はアルミニウムの長尺の型材を長手方向において所定長さに切断して形成してあり、図１、図３に示すように、下面部に長手方向の全長にわたって下方に開口するパッキン嵌め込み用横溝部３４が形成してあり、更に、この横框１６には長手方向の全長にわたって断面Ｃ字状をしたタッピングホール部３５が形成してある。
【００２５】
上下の横框１６はそれぞれその長手方向の端部を縦框５の上下方向の端部において内面部の横框嵌め込み溝部２４に嵌め込んだ状態で固着用ねじ２７を縦框５に設けた固着用ねじ挿通孔２８から挿入して横框１６のタッピングホール部３５にねじ込むんで螺着することで連結固定して枠体を組み立て構成すると共に、縦框５、横框１６のパッキン嵌め込み用縦溝部２２、パッキン嵌め込み用横溝部３４にそれぞれパッキン材３６を介して面板１７の端部を嵌め込んである。
【００２６】
上記のような構成の吊戸４を上レール１に走行自在に吊下げるには以下のようにして行うものである。
【００２７】
すなわち、あらかじめ上レール１の長手方向の端部からランナー２を入れた状態で上レール１を部屋の仕切り壁の出入口開口部の上端部４０や天井面あるいは垂れ壁等に固着する。
【００２８】
一方、吊戸４の縦框５の上端部の外側縦溝部２５内に端部カバー７のカバー本体３３を嵌め込んで両縦片３３ｂを外側縦溝部２５内において両側片１８の内面に沿わせて、縦片３３ｂの両側端縁部を係止用突条２６と外側縦溝部２５の溝奥面とに圧接して取付けると共にカバー片３３ｃにより外側縦溝部２５の上端開口の縁部分を覆う（図５参照）。この場合、横片３２が外側連結片２０の上端部の切除部３１の下端付近から中央縦溝部２３内を横切るように挿入され、取付けねじ落下防止部９を構成する底面片３３ａと横片３２とで切除部３１を介して連通する外側縦溝部２５の上端部と中央縦溝部２３の上端部とをそれぞれ上下に仕切る。上記取付けねじ落下防止部９は縦溝部６の一部を構成する上記外側縦溝部２５の上端部と中央縦溝部２３の上端部とにわたって嵌め込まれた吊下げ部材本体１５の最下部に設けられた固定片４２のやや下方位置に位置するようになっている。ここで、取付けねじ落下防止部９は上記のように固定片４２のやや下方に位置するのであるが、このその下限は固定片４２の下方で且つ切除部３１の下端に取付けねじ落下防止部９が乗る位置である。
【００２９】
上記のように端部カバー７を取付けて縦框５の上端部の切断端部のエッジ部分が露出しないように端部カバー７で覆った状態で、吊戸４を起立させて上記上レール１に走行自在に嵌め込んだランナー２に取付ける作業を行う。
【００３０】
取付けに当たっては、吊戸４を起立させて持ち上げた状態で、上レール１に嵌め込んだランナー２から垂設した吊下げ部材３の吊下げ部材本体１５を、吊戸４の縦框５の上端部において外側縦溝部２５の側方開口から端部カバー７の対向する縦片３３ｂ間を通して挿入して、切除部３１を介して中央縦溝部２３内に嵌め込み、この状態で吊戸４を上に少し持ち上げて吊下げ部材本体１５の引掛け片４１を縦框５の引掛け用孔２９に引掛けて吊戸４をランナー２に吊下げる。この吊下げ状態で、縦框５の上端部において外側縦溝部２５の側方開口から差し込んだ取付けねじ８を、吊下げ部材本体１５の固定片４２に設けたねじ挿入孔２１に挿入して縦框５の内側連結片１９に設けたねじ孔３０にねじ込んで螺着する。
【００３１】
上記取付けねじ８の取付けに当たっては、外側縦溝部２５の上端部の側方開口から外側連結片２０の上端部の切除部３１を経て中央縦溝部２３内に位置する固定片４２に設けたねじ挿入孔２１に挿入してドライバー等による螺着作業を行うものであり、外側縦溝部２５、中央縦溝部２３は溝巾が狭く、上記取付けねじ８による取付け作業がし難く、上記作業中にドライバーの先端から外れて取付けねじ８がこぼれ落ちる場合がある。
【００３２】
このように取付けねじ８がドライバーの先端から外れてこぼれ落ちた場合、縦溝部６の一部を構成する上記切除部３１を介して連通する外側縦溝部２５の上端部と中央縦溝部２３の上端部とをそれぞれ上下に仕切る取付けねじ落下防止部９で受けられ、それ以上外側縦溝部２５内又は中央縦溝部２３内を下方に落下するのが防止されることになる。
【００３３】
したがって、起立姿勢の吊戸４の縦框５の上端部において取付けねじ８によりランナー２に取付ける作業中に仮に取付けねじ８がドライバーの先端から外れてこぼれ落ちたとしても該取付けねじ８の取付け部分のやや下方位置に位置する取付けねじ落下防止部９で受け止めることができるので、脚立などに乗って行っている上記作業中、作業者は脚立等に乗ったまま取付けねじ８による取付け位置の直ぐ近くで取付けねじ落下防止部９で受け止められた取付けねじ８を回収し、回収した取付けねじ８を用いて再度の取付け作業を行うことができる。
【００３４】
このようにして上レール１に走行自在に設けたランナー２の吊下げ部材３に吊戸４を取付けて吊下げる作業を行うのであるが、この吊戸４のランナー２への吊下げ作業に当たって、金属製の型材よりなる縦框５の上端開口の縁部分を端部カバー７で覆った状態で上記作業ができるので、上記作業中に型材の切断端面である縦框５の上端開口の縁部分に作業者が直接手を触れることがなく、切断端面のエッジ部分で手を傷付けたりすることなく作業ができることになる。そして、この切断端面である縦框５の上端開口の縁部分を覆うための端部カバー７に前述の取付けねじ８が落下した際に受け止めるための取付けねじ落下防止部９を設けてあるので、部材点数が少なく、構成が簡略化する。また、端部カバー７とは別に別部品としての落下防止のための部材が必要でなく、縦框５の上端部に端部カバー７を取付けるだけで同時に取付けねじ落下防止部９を縦溝部６内の上記吊下げ部材３の取付けねじ８による取付け部分よりもやや下方に位置させることができて、作業性もよい。
【００３５】
なお、外側縦溝部２５の側方開口には弾性を有する戸当り用端部材３７を取付けてあり、該戸当り用端部材３７は両側端の係止部を係止用突条２６に係止することで取付けてある。
【図面の簡単な説明】
【００３６】
【図１】本発明の正面断面図である。
【図２】同上の平面図である
【図３】同上の側面断面図である。
【図４】同上の縦框及び端部カバーの斜視図である。
【図５】同上の端部カバーを縦框の上端部に取付けて縦框の上端開口の縁部分を覆った状態を示す平面図である。
【図６】同上に用いる端部カバーを示し、（ａ）は正面図であり、（ｂ）は側面図であり、（ｃ）は平面図であり、（ｄ）は斜視図である。
【符号の説明】
【００３７】
１  上レール
２  ランナー
３  吊下げ部材
４  吊戸
５  縦框
６  縦溝部
７  端部カバー
８  取付けねじ
９  取付けねじ落下防止部
【図１】
2006200195.tif 000003
【図２】
2006200195.tif 000004
【図３】
2006200195.tif 000005
【図４】
2006200195.tif 000006
【図５】
2006200195.tif 000007
【図６】
2006200195.tif 000008